(57)【要約】【課題】組立時および組立後においてもトラニオンの傾転方向のずれを防止できるトロイダル型無段変速機の組立治具および組立方法を提供する。【解決手段】複数のトラニオン１５を所定の状態に組み立てて、これらのトラニオン１５の傾転角を所定の角度に設定する。その後、所定の傾転角に設定された複数のトラニオン１５を１つの組立治具３００により一括して支持する。このとき、複数のトラニオン１５の各枢軸１４が本体３００ａの対応する係合穴３１０に挿入され、複数のトラニオン１５の各枢軸１４に設けられた一対の平行な面２０５，２０５と各係合穴３１０の一対の平行な対向面３０５，３０５とが嵌合されることにより、各トラニオン１５の傾転が阻止される。そして、このように組立治具３００によって複数のトラニオン１５の傾転が規制された状態で、更なる組立・調整が行なわれる。【選択図】図１
2007332981.tif 000002
【特許請求の範囲】
【請求項１】
ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組み立てに使用される組立治具であって、
前記トラニオンをその所定の組立位置で支持する本体を備え、この本体には、前記トラニオンと係合してトラニオンの傾転を阻止する係合部が設けられていることを特徴とするトロイダル型無段変速機の組立治具。
【請求項２】
前記本体は、複数の前記トラニオンをその所定の組立位置で一括して支持し、前記係合部は、複数の前記トラニオンの各軸部と個別に係合してこれらの各軸部の傾転を阻止する複数の係合溝または係合穴から成っていることを特徴とする請求項１に記載のトロイダル型無段変速機の組立治具。
【請求項３】
前記係合溝または係合穴は、複数の前記トラニオンの各軸部に設けられた一対の平行な面と嵌合する一対の平行な対向面を有していることを特徴とする請求項２に記載のトロイダル型無段変速機の組立治具。
【請求項４】
前記本体が分割可能であることを特徴とする請求項２または請求項３に記載のトロイダル型無段変速機の組立治具。
【請求項５】
前記本体が前記複数のトラニオンのうちの１つを単独で支持することを特徴とする請求項１に記載のトロイダル型無段変速機の組立治具。
【請求項６】
前記本体は、前記ケーシングに対してその外側から着脱自在に取り付けられ、
前記係合部は、前記本体を前記ケーシングに対して取り付けた際に前記ケーシング内に突出する突出部と、この突出部の端面に形成され且つ前記トラニオンの支持板部の平面状の背面に当接する平面部とを有していることを特徴とする請求項５に記載のトロイダル型無段変速機の組立治具。
【請求項７】
ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組立方法であって、
複数の前記トラニオンを所定の状態に組み立てて、これらのトラニオンの傾転位置を所定の位置に設定する工程と、
所定の傾転位置に設定された複数の前記トラニオンを１つの治具により一括して支持することにより各トラニオンの傾転を阻止する工程と、
前記治具によって複数の前記トラニオンを支持した状態で更なる組立・調整を行なう工程と、
を含んでいることを特徴とするトロイダル型無段変速機の組立方法。
【請求項８】
ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組立方法であって、
複数の前記トラニオンを所定の状態に組み立てて、これらのトラニオンの傾転位置を所定の位置に設定する工程と、
所定の傾転位置に設定された複数の前記トラニオンを、前記ケースングに対してその外側から着脱自在に取り付けられた複数の治具により個別に支持することによって各トラニオンの傾転を阻止する工程と、
前記治具によって複数の前記トラニオンを支持した状態で更なる組立・調整を行なう工程と、
を含んでいることを特徴とするトロイダル型無段変速機の組立方法。
【発明の詳細な説明】
【技術分野】
【０００１】
本発明は、自動車や各種産業機械の変速機などに利用可能なトロイダル型無段変速機の組立治具および組立方法に関する。
【背景技術】
【０００２】
例えば自動車用変速機として用いるダブルキャビティ式トロイダル型無段変速機は、図４および図５に示すように構成されている。図４に示すように、ケーシング５０の内側には入力軸１が回転自在に支持されており、この入力軸１の外周には、２つの入力側ディスク２，２と２つの出力側ディスク３，３とが取り付けられている。また、入力軸１の中間部の外周には出力歯車４が回転自在に支持されている。この出力歯車４の中心部に設けられた円筒状のフランジ部４ａ，４ａには、出力側ディスク３，３がスプライン結合によって連結されている。
【０００３】
入力軸１は、図中左側に位置する入力側ディスク２とカム板（ローディングカム）７との間に設けられたローディングカム式の押圧装置１２を介して、駆動軸２２により回転駆動されるようになっている。また、出力歯車４は、２つの部材の結合によって構成された仕切壁（中間壁）１３に対しアンギュラ玉軸受１０７を介して支持されるとともに、この仕切壁１３を介してケーシング５０内に支持されており、これにより、入力軸１の軸線Ｏを中心に回転できる一方で、軸線Ｏ方向の変位が阻止されている。
【０００４】
出力側ディスク３，３は、入力軸１との間に介在されたニードル軸受５，５によって、入力軸１の軸線Ｏを中心に回転自在に支持されている。また、図中左側の入力側ディスク２は、入力軸１にボールスプライン６を介して支持され、図中右側の入力側ディスク２は、入力軸１にスプライン結合されており、これら入力側ディスク２は入力軸１と共に回転するようになっている。また、入力側ディスク２，２の内側面（凹面；トラクション面とも言う）２ａ，２ａと出力ディスク３，３の内側面（凹面；トラクション面とも言う）３ａ，３ａとの間には、パワーローラ１１（図５参照）が回転自在に挟持されている。
【０００５】
図４中右側に位置する入力側ディスク２の内周面２ｃには、段差部２ｂが設けられ、この段差部２ｂに、入力軸１の外周面１ａに設けられた段差部１ｂが突き当てられるとともに、入力側ディスク２の背面（図４の右面）は、入力軸１の外周面に形成されたネジ部に螺合されたローディングナット９に突き当てられている。これによって、入力側ディスク２の入力軸１に対する軸線Ｏ方向の変位が実質的に阻止されている。また、カム板７と入力軸１の鍔部１ｄとの間には、皿ばね８が設けられており、この皿ばね８は、各ディスク２，２，３，３の凹面２ａ，２ａ，３ａ，３ａとパワーローラ１１，１１の周面１１ａ，１１ａとの当接部に押圧力を付与する。
【０００６】
図４のＡ−Ａ線に沿う断面図である図５に示すように、ケーシング５０の内側であって、出力側ディスク３，３の側方位置には、両ディスク３，３を両側から挟む状態で一対のヨーク２３Ａ，２３Ｂが支持されている。これら一対のヨーク２３Ａ，２３Ｂは、鋼等の金属のプレス加工あるいは鍛造加工により矩形状に形成されている。そして、後述するトラニオン１５の両端部に設けられた枢軸１４を揺動自在に支持するため、ヨーク２３Ａ，２３Ｂの四隅には、円形の支持孔１８が設けられるとともに、ヨーク２３Ａ，２３Ｂの幅方向の中央部には、円形の係止孔１９が設けられている。
【０００７】
一対のヨーク２３Ａ，２３Ｂは、ケーシング５０の内面の互いに対向する部分に形成された支持ポスト６４，６８により、支持ポスト６４，６８を支点として揺動できるように支持されている。これらの支持ポスト６４，６８はそれぞれ、入力側ディスク２の内側面２ａと出力側ディスク３の内側面３ａとの間にある第１キャビティ２２１および第２キャビティ２２２にそれぞれ対向する状態で設けられている。
【０００８】
したがって、ヨーク２３Ａ，２３Ｂは、各支持ポスト６４，６８に支持された状態で、その一端部が第１キャビティ２２１の外周部分に対向するとともに、その他端部が第２キャビティ２２２の外周部分に対向している。
【０００９】
第１および第２のキャビティ２２１，２２２は同一構造であるため、以下、第１キャビティ２２１のみについて説明する。
【００１０】
図５に示すように、ケーシング５０の内側において、第１キャビティ２２１には、入力軸１に対し捻れの位置にある一対の枢軸（傾転軸）１４，１４を中心として揺動する一対のトラニオン１５，１５が設けられている。なお、図５においては、入力軸１の図示は省略している。各トラニオン１５，１５は、その本体部である支持板部１６の長手方向(図５の上下方向)の両端部に、この支持板部１６の内側面側に折れ曲がる状態で形成された一対の折れ曲がり壁部２０，２０を有している。そして、この折れ曲がり壁部２０，２０によって、各トラニオン１５，１５には、パワーローラ１１を収容するための凹状のポケット部Ｐが形成される。また、各折れ曲がり壁部２０，２０の外側面には、各枢軸１４，１４が互いに同心的に設けられている。
【００１１】
支持板部１６の中央部には円孔２１が形成され、この円孔２１には変位軸２３の基端部（第１の軸部）２３ａが支持されている。そして、各枢軸１４，１４を中心として各トラニオン１５，１５を揺動させることにより、これら各トラニオン１５，１５の中央部に支持された変位軸２３の傾斜角度を調節できるようになっている。また、各トラニオン１５，１５の内側面から突出する変位軸２３の先端部（第２の軸部）２３ｂの周囲には、各パワーローラ１１が回転自在に支持されており、各パワーローラ１１，１１は、各入力側ディスク２，２および各出力側ディスク３，３の間に挟持されている。なお、各変位軸２３，２３の基端部２３ａと先端部２３ｂとは、互いに偏心している。
【００１２】
また、前述したように、各トラニオン１５，１５の枢軸１４，１４はそれぞれ、一対のヨーク２３Ａ，２３Ｂに対して揺動自在および軸方向(図５の上下方向)に変位自在に支持されており、各ヨーク２３Ａ，２３Ｂにより、トラニオン１５，１５はその水平方向の移動を規制されている。前述したように、各ヨーク２３Ａ，２３Ｂの四隅には円形の支持孔１８が４つ設けられており、これら支持孔１８にはそれぞれ、トラニオン１５の両端部に設けた枢軸１４がラジアルニードル軸受（傾転軸受）３０を介して揺動自在（傾転自在）に支持されている。また、前述したように、ヨーク２３Ａ，２３Ｂの幅方向（図５の左右方向）の中央部には、円形の係止孔１９が設けられており、この係止孔１９の内周面は円筒面として、支持ポスト６４，６８を内嵌している。すなわち、上側のヨーク２３Ａは、ケーシング５０に固定部材５２を介して支持されている球面ポスト６４によって揺動自在に支持されており、下側のヨーク２３Ｂは、球面ポスト６８およびこれを支持する駆動シリンダ３１の上側シリンダボディ６１によって揺動自在に支持されている。
【００１３】
なお、各トラニオン１５，１５に設けられた各変位軸２３，２３は、入力軸１に対し、互いに１８０度反対側の位置に設けられている。また、これらの各変位軸２３，２３の先端部２３ｂが基端部２３ａに対して偏心している方向は、両ディスク２，２，３，３の回転方向に対して同方向(図５で上下逆方向)となっている。また、偏心方向は、入力軸１の配設方向に対して略直交する方向となっている。したがって、各パワーローラ１１，１１は、入力軸１の長手方向に若干変位できるように支持される。その結果、押圧装置１２が発生するスラスト荷重に基づく各構成部材の弾性変形等に起因して、各パワーローラ１１，１１が入力軸１の軸方向に変位する傾向となった場合でも、各構成部材に無理な力が加わらず、この変位が吸収される。
【００１４】
また、パワーローラ１１の外側面とトラニオン１５の支持板部１６の内側面との間には、パワーローラ１１の外側面の側から順に、スラスト転がり軸受であるスラスト玉軸受２４と、スラストニードル軸受２５とが設けられている。このうち、スラスト玉軸受２４は、各パワーローラ１１に加わるスラスト方向の荷重を支承しつつ、これら各パワーローラ１１の回転を許容するものである。このようなスラスト玉軸受２４はそれぞれ、複数個ずつの玉２６，２６と、これら各玉２６，２６を転動自在に保持する円環状の保持器２７と、円環状の外輪２８とから構成されている。また、各スラスト玉軸受２４の内輪軌道は各パワーローラ１１の外側面（大端面）に、外輪軌道は各外輪２８の内側面にそれぞれ形成されている。
【００１５】
また、スラストニードル軸受２５は、トラニオン１５の支持板部１６の内側面と外輪２８の外側面との間に挟持されている。このようなスラストニードル軸受２５は、パワーローラ１１から各外輪２８に加わるスラスト荷重を支承しつつ、これらパワーローラ１１および外輪２８が各変位軸２３の基端部２３ａを中心として揺動することを許容する。
【００１６】
さらに、各トラニオン１５，１５の一端部(図５の下端部)にはそれぞれ駆動ロッド（枢軸１４から延びる軸部）２９，２９が設けられており、各駆動ロッド２９，２９の中間部外周面に駆動ピストン（油圧ピストン）３３，３３が固設されている。そして、これら各駆動ピストン３３，３３はそれぞれ、上側シリンダボディ６１と下側シリンダボディ６２とによって構成された駆動シリンダ３１内に油密に嵌装されている。これら各駆動ピストン３３，３３と駆動シリンダ３１とで、各トラニオン１５，１５を、これらトラニオン１５，１５の枢軸１４，１４の軸方向に変位させる駆動装置３２を構成している。
【００１７】
このように構成されたトロイダル型無段変速機の場合、駆動軸２２の回転は、押圧装置１２を介して、各入力側ディスク２，２および入力軸１に伝えられる。そして、これら入力側ディスク２，２の回転が、一対のパワーローラ１１，１１を介して各出力側ディスク３，３に伝えられ、更にこれら各出力側ディスク３，３の回転が、出力歯車４より取り出される。
【００１８】
入力軸１と出力歯車４との間の回転速度比を変える場合には、一対の駆動ピストン３３，３３を互いに逆方向に変位させる。これら各駆動ピストン３３，３３の変位に伴って、一対のトラニオン１５，１５が互いに逆方向に変位（オフセット）する。例えば、図５の左側のパワーローラ１１が同図の下側に、同図の右側のパワーローラ１１が同図の上側にそれぞれ変位する。その結果、これら各パワーローラ１１，１１の周面１１ａ，１１ａと各入力側ディスク２，２および各出力側ディスク３，３の内側面２ａ，２ａ，３ａ，３ａとの当接部に作用する接線方向の力の向きが変化する。そして、この力の向きの変化に伴って、各トラニオン１５，１５が、ヨーク２３Ａ，２３Ｂに枢支された枢軸１４，１４を中心として、互いに逆方向に揺動（傾転）する。
【００１９】
その結果、各パワーローラ１１，１１の周面１１ａ，１１ａと各内側面２ａ，３ａとの当接位置が変化し、入力軸１と出力歯車４との間の回転速度比が変化する。また、これら入力軸１と出力歯車４との間で伝達するトルクが変動し、各構成部材の弾性変形量が変化すると、各パワーローラ１１，１１およびこれら各パワーローラ１１，１１に付属の外輪２８，２８が、各変位軸２３，２３の基端部２３ａ、２３ａを中心として僅かに回動する。これら各外輪２８，２８の外側面と各トラニオン１５，１５を構成する支持板部１６の内側面との間には、それぞれスラストニードル軸受２５，２５が存在するため、前記回動は円滑に行われる。したがって、前述のように各変位軸２３，２３の傾斜角度を変化させるための力が小さくて済む。
【発明の開示】
【発明が解決しようとする課題】
【００２０】
以上のように、上記構成のトロイダル型無段変速機では、入力側ディスク２と出力側ディスク３との間に一対のパワーローラ１１が挟持され、また、これらのパワーローラ１１がトラニオン１５に支持されている。そして、変速は、トラニオン１５が上下軸方向への移動に応じて傾転し、パワーローラ１１と入力側ディスク２との接触半径およびパワーローラ１１と出力側ディスク３との接触半径が変化することにより連続的に行なわれる。また、その場合のパワーローラ１１の傾転方向の保持は、トラニオン１５同士の動きを同期させる同期ワイヤ（図示せず）と、入力トルクがゼロまたは微少であってもディスク２，３とパワーローラ１１との接触面に押し付け力を与える皿ばね８の推力とによって保たれる。
【００２１】
しかしながら、従来から、各トラニオン１５の傾転方向は、組立時および組立途中に実施される調整作業後においても目視により定められており、また、組立時（特に、枢軸１４のナットおよびローディングナット９を締め付ける際）に回転してしまう（傾転ずれを引き起こしてしまう）可能性が高い。
【００２２】
このように各トラニオン１５の傾転方向がずれた状態では、皿ばね８の調整時に得られる隙間の数値が安定せず、適切な調整が行なえなくなる。また、トラニオン１５の傾転ずれが生じた状態で運転を行なうと、運転初期時にバリエータのハンチングや滑りが発生してしまう確率が高い。ハンチングが発生してしまうと、運転ができないばかりでなく、ディスク２，３およびパワーローラ１１のトラクション面並びに他部品にも負担がかかり、傷、形状不良、変荷重等を招く虞が生じるとともに、製品寿命への影響も懸念される。また、時には、ハンチングを解決できず、再度ケーシング５０を分解しなければならなくなる場合もある。このような事態は、試験および車載への大きなロスタイムとなり、また、量産組立上においてもロスとなる。
【００２３】
また、組み立てられたバリエータを試験装置に固定する際に実施する芯出し作業時およびカップリング等への接続時においても、バリエータをやむをえず回転させてしまうことがある。そうした場合、油圧で固定されていないトラニオン１５は、任意の位置で組み立てられているピストン３３の位置に合わせて傾転しようとしてしまう。
【００２４】
本発明は、前記事情に鑑みて為されたもので、組立時および組立後においてもトラニオンの傾転方向のずれを防止できるトロイダル型無段変速機の組立治具および組立方法を提供することを目的とする。
【課題を解決するための手段】
【００２５】
前記目的を達成するために、請求項１に記載のトロイダル型無段変速機の組立治具は、ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組み立てに使用される組立治具であって、前記トラニオンをその所定の組立位置で支持する本体を備え、この本体には、前記トラニオンと係合してトラニオンの傾転を阻止する係合部が設けられていることを特徴とする。
【００２６】
この請求項１に記載された発明においては、組み立て時にトラニオンの傾転角の向きを治具で固定することにより、例えばトラニオンナットやローディングナットを締め付ける際にトラニオンの傾転角が変わらないようにすることができる。したがって、組立時にトラニオンの傾転角のずれを気にして注意深く作業を行なう必要がなくなり、組立作業性が向上するとともに、皿バネ調整時には安定した隙間寸法を得ることができ、調整間座の決定も容易となる。また、このように治具を用いてトラニオンを所定の傾転位置で確実に組み立てることができれば、運転開始時におけるハンチングの発生を防止できるとともに、ハンチングに伴ってトラクション面に発生する変荷重を抑えることもできるため、製品寿命を長くすることができる。
【００２７】
また、請求項２に記載されたトロイダル型無段変速機の組立治具は、請求項１に記載された発明において、前記本体は、複数の前記トラニオンをその所定の組立位置で一括して支持し、前記係合部は、複数の前記トラニオンの各軸部と個別に係合してこれらの各軸部の傾転を阻止する複数の係合溝または係合穴から成っていることを特徴とする。
【００２８】
この請求項２に記載された発明においては、複数のトラニオンをその所定の組立位置で治具により一括して支持できるため、トラニオンに対する治具の組み付けが容易になるとともに、本体の複数の係合溝または係合穴のそれぞれに複数のトラニオンの各軸部を個別に係合させることにより各軸部の傾転を阻止するようにしているため、組立時におけるトラニオンの傾転角の変化を確実に且つ容易に規制することができる。
【００２９】
また、請求項３に記載されたトロイダル型無段変速機の組立治具は、請求項２に記載された発明において、前記係合溝または係合穴は、複数の前記トラニオンの各軸部に設けられた一対の平行な面と嵌合する一対の平行な対向面を有していることを特徴とする。
【００３０】
この請求項３に記載された発明においては、係合溝または係合穴にトラニオンの軸部を嵌め込むだけでトラニオンの傾転を阻止することができるため、効率的である。
【００３１】
また、請求項４に記載されたトロイダル型無段変速機の組立治具は、請求項２または請求項３に記載された発明において、前記本体が分割可能であることを特徴とする。
【００３２】
この請求項４に記載された発明においては、必要に応じて治具を部分的に分解することができるため、治具取付後における部分的な微調整など、組立状況に応じた対応を迅速にとることができ、利便性に優れる。
【００３３】
また、請求項５に記載されたトロイダル型無段変速機の組立治具は、請求項１に記載された発明において、前記本体が前記複数のトラニオンのうちの１つを単独で支持することを特徴とする。
【００３４】
この請求項５に記載された発明においては、トラニオンの傾転角の変化をトラニオン毎に個別に規制することができるため、治具の設置スペースの確保が容易になり、また、治具の設置スペースを最小限に抑えることができるとともに、治具の取付自由度を高めることもでき、更に、治具取付後における部分的な微調整など、組立状況に応じた対応を迅速にとることができ、利便性にも優れる。
【００３５】
また、請求項６に記載されたトロイダル型無段変速機の組立治具は、請求項５に記載された発明において、前記本体は、前記ケーシングに対してその外側から着脱自在に取り付けられ、前記係合部は、前記本体を前記ケーシングに対して取り付けた際に前記ケーシング内に突出する突出部と、この突出部の端面に形成され且つ前記トラニオンの支持板部の平面状の背面に当接する平面部とを有していることを特徴とする。
【００３６】
この請求項６に記載された発明においては、治具がケーシングに対してその外側から着脱自在に取り付けられているため、組立後においても治具を取り付けた状態に維持することができるとともに、組立後において治具をいつでも取り外すことができる。したがって、組み立て後に変速機を試験機に設置するまでの間或いは車載までの間にわたって治具を取り付けた状態に保持することにより、入力軸および出力軸を回転させたとしてもトラニオンの傾転角を変化させずに済む。
【００３７】
また、請求項７に記載されたトロイダル型無段変速機の組立方法は、ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組立方法であって、複数の前記トラニオンを所定の状態に組み立てて、これらのトラニオンの傾転位置を所定の位置に設定する工程と、所定の傾転位置に設定された複数の前記トラニオンを１つの治具により一括して支持することにより各トラニオンの傾転を阻止する工程と、前記治具によって複数の前記トラニオンを支持した状態で更なる組立・調整を行なう工程と、を含んでいることを特徴とする。
【００３８】
この請求項７に記載された発明においては、組み立て時にトラニオンの傾転角の向きを治具で固定することにより、例えばトラニオンナットやローディングナットを締め付ける際にトラニオンの傾転角が変わらないようにすることができる。したがって、組立時にトラニオンの傾転角のずれを気にして注意深く作業を行なう必要がなくなり、組立作業性が向上するとともに、皿バネ調整時には安定した隙間寸法を得ることができ、調整間座の決定も容易となる。また、このように治具を用いてトラニオンを所定の傾転位置で確実に組み立てることができれば、運転開始時におけるハンチングの発生を防止できるとともに、ハンチングに伴ってトラクション面に発生する変荷重を抑えることもできるため、製品寿命を長くすることができる。また、複数のトラニオンをその所定の組立位置で治具により一括して支持できるため、トラニオンに対する治具の組み付けが容易になる。
【００３９】
また、請求項８に記載されたトロイダル型無段変速機の組立方法は、ケーシングと、このケーシングの内側に設けられ回転トルクが入力される入力軸と、それぞれの内側面同士を互いに対向させた状態で互いに同心的に且つ回転自在に前記入力軸に支持された入力側ディスクおよび出力側ディスクと、前記入力側ディスクと前記出力側ディスクとの間に挟持された複数のパワーローラと、前記パワーローラを回転自在に支持する傾転可能な複数のトラニオンとを備えたトロイダル型無段変速機の組立方法であって、複数の前記トラニオンを所定の状態に組み立てて、これらのトラニオンの傾転位置を所定の位置に設定する工程と、所定の傾転位置に設定された複数の前記トラニオンを、前記ケースングに対してその外側から着脱自在に取り付けられた複数の治具により個別に支持することによって各トラニオンの傾転を阻止する工程と、前記治具によって複数の前記トラニオンを支持した状態で更なる組立・調整を行なう工程と、を含んでいることを特徴とする。
【００４０】
この請求項８に記載された発明においては、治具がケーシングに対してその外側から着脱自在に取り付けられているため、組立後においても治具を取り付けた状態に維持することができるとともに、組立後において治具をいつでも取り外すことができる。したがって、組み立て後に変速機を試験機に設置するまでの間或いは車載までの間にわたって治具を取り付けた状態に保持することにより、入力軸および出力軸を回転させたとしてもトラニオンの傾転角を変化させずに済む。また、トラニオンの傾転角の変化をトラニオン毎に個別に規制することができるため、治具の設置スペースの確保が容易になり、また、治具の設置スペースを最小限に抑えることができるとともに、治具の取付自由度を高めることもでき、更に、治具取付後における部分的な微調整など、組立状況に応じた対応を迅速にとることができ、利便性にも優れる。
【発明の効果】
【００４１】
本発明によれば、組立時および組立後においても治具によりトラニオンの傾転方向のずれを防止することができる。
【発明を実施するための最良の形態】
【００４２】
以下、図面を参照しながら、本発明の実施形態について説明する。なお、本発明の特徴は、組立時におけるトラニオンの傾転角の変化を規制するための手段にあり、その他の構成および作用は前述した従来の構成および作用と同様であるため、以下においては、本発明の特徴部分についてのみ言及し、それ以外の部分については、図４および図５と同一の符号を付して簡潔に説明するに留める。
【００４３】
図１は本発明の第１の実施形態を示している。図示のように、複数のトラニオン１５が所定の状態に組み立てられており、また、各トラニオン１５の傾転位置（傾転角）が所定の位置（角度）に設定されている。この状態からトラニオンナットやローディングナットを締め付ける調整時および更なる組立時にトラニオン１５の傾転角が設定角から変化しないように、組立治具３００が使用される。
【００４４】
図示のように、組立治具３００は、トラニオン１５をその所定の組立位置で支持する本体３００ａを備えている。特に、本実施形態において、本体３００ａは、複数（図では４つ）のトラニオン１５をその所定の組立位置で一括して支持するように２つのキャビティ２２１，２２２にわたって延在する板状体として形成されている。また、本体３００ａには、トラニオン１５と係合してトラニオン１５の傾転を阻止する係合部が設けられている。具体的に、この係合部は、複数のトラニオン１５の各枢軸（軸部）１４の一方側と個別に係合してこれらの各枢軸１４の傾転を阻止する複数（本実施形態では４つ）の係合穴３１０から成っている。
【００４５】
また、本実施形態において、本体３００ａに設けられた複数の係合穴３１０はそれぞれ、複数のトラニオン１５の各枢軸１４に設けられた一対の平行な面２０５，２０５と嵌合する一対の平行な対向面３０５，３０５を有している。
【００４６】
このような構成の組立治具３００を用いてトロイダル型無段変速機を組み立てる際には、まず、複数のトラニオン１５を所定の状態に組み立てて、これらのトラニオン１５の傾転位置（傾転角）を所定の位置（角度）に設定する。特に、本実施形態では、入力側ディスク２と出力側ディスク３の接触半径が同一で１：１の関係にある状態で組み立てが行なわれる。その後、所定の傾転位置（傾転角）に設定された複数のトラニオン１５を１つの組立治具３００により一括して支持する。このとき、複数のトラニオン１５の各枢軸１４が本体３００ａの対応する係合穴３１０に挿入され、複数のトラニオン１５の各枢軸１４に設けられた一対の平行な面２０５，２０５と各係合穴３１０の一対の平行な対向面３０５，３０５とが嵌合されることにより、各トラニオン１５の傾転が阻止される。そして、このように組立治具３００によって複数のトラニオン１５の傾転が規制された状態で、更なる組立・調整が行なわれる。
【００４７】
以上説明したように、本実施形態においては、組み立て時にトラニオン１５の傾転角の向きを組立治具３００で固定することにより、例えばトラニオンナットやローディングナット９を締め付ける際にトラニオン１５の傾転角が変わらないようにすることができる。したがって、組立時にトラニオン１５の傾転角のずれを気にして注意深く作業を行なう必要がなくなり、組立作業性が向上するとともに、皿ばね８の調整時には安定した隙間寸法を得ることができ、調整間座の決定も容易となる。このような作用効果は非常に有益である。なぜなら、変速比によって入力側ディスク２は前後に僅かに移動してしまうため、各トラニオン１５の傾転角が違っていたり、また、ずれている状態で皿ばね８の調整を行なってしまうと、押圧力が一定しない等の不具合が起こることから、ある特定の位置（例えば、９０°、変速比１：１）で固定した状態で皿ばね８の調整を行なう必要があるからである。こうした点で、本実施形態におけるこのような作用効果は、例えば特開２００３−１１３９１４号公報に開示されている皿ばね調整方法に有効である。また、特に、特開平６−２８０９５９号公報および特開２００４−６８９４２号公報に開示されている技術はいずれも、トラニオン方向が正確に任意の位置で固定されている状態で調整することにより皿ばね領域（無負荷、低トルク時）、変形量を最適に調整（皿ばね領域からローディングカム領域へのスムーズな切り換え）することができるものであることから、本実施形態の治具による固定は必須条件である。
【００４８】
また、本実施形態のように組立治具３００を用いてトラニオン１５を所定の傾転位置で確実に組み立てることができれば、運転開始時におけるハンチングの発生を防止できるとともに、ハンチングに伴ってトラクション面に発生する変荷重を抑えることもできるため、製品寿命を長くすることができる。
【００４９】
また、本実施形態においては、複数のトラニオン１５をその所定の組立位置で治具３００により一括して支持できるため、トラニオン１５に対する治具３００の組み付けが容易になるとともに、本体３００ａの複数の係合穴３１０のそれぞれに複数のトラニオン１５の各枢軸１４を個別に係合させることにより各枢軸１４の傾転を阻止するようにしているため、組立時におけるトラニオン１５の傾転角の変化を確実に且つ容易に規制することができる。
【００５０】
また、本実施形態においては、係合穴３１０にトラニオン１５の枢軸１４を嵌め込むだけでトラニオン１５の傾転を阻止することができるため、効率的である。
【００５１】
図２は本発明の第２の実施形態を示している。図示のように、本実施形態において、組立治具は、第１の実施形態の本体３００ａに相当する本体３５０が第１の本体部３５０Ａと第２の本体部３５０Ｂとに分割可能になっている。また、各本体部３５０Ａ，３５０Ｂには、トラニオン１５と係合してトラニオン１５の傾転を阻止する係合部が設けられている。具体的に、この係合部は、複数のトラニオン１５の各枢軸（軸部）１４の一方側と個別に係合してこれらの各枢軸１４の傾転を阻止する複数（本実施形態では、各本体部３５０Ａ，３５０Ｂにそれぞれ２つずつ）の係合溝３６０から成っている。また、各係合溝３６０は、複数のトラニオン１５の各枢軸１４に設けられた一対の平行な面２０５，２０５（図１参照）と嵌合する一対の平行な対向面３５５，３５５を有している。
【００５２】
このように、本実施形態においては、必要に応じて治具３５０を部分的に分解することができるため、治具取付後における部分的な微調整など、組立状況に応じた対応を迅速にとることができ、利便性に優れる。
【００５３】
図３は本発明の第３の実施形態を示している。図示のように、本実施形態では、複数のトラニオン１５が複数の組立治具４００によって個別に支持されている。各組立治具４００は、対応するトラニオン１５をその所定の組立位置で支持する本体４００ａを備えている。本体４００ａは、ケーシング５０に対してその外側から例えばボルト４２０により着脱自在に取り付けられており、トラニオン１５と係合してトラニオン１５の傾転を阻止する係合部を有している。具体的に、この係合部は、本体４００ａをケーシング５０に対して取り付けた際にケーシング５０内に突出する突出部４００ｂから成る。また、突出部４００ｂの端面には、トラニオン１５の支持板部１６の平面状の背面１５ａに当接する平面部４１５が形成されている。
【００５４】
このような構成の組立治具３００を用いてトロイダル型無段変速機を組み立てる際には、まず、複数のトラニオン１５を所定の状態に組み立てて、これらのトラニオン１５の傾転位置（傾転角）を所定の位置（角度）に設定する。その後、各組立治具４００をケーシング５０の取付孔部６００に挿入して、突出部４００ｂの端面の平面部４１５をトラニオン１５の支持板部１６の平面状の背面１５ａに当接させ、その状態で、本体４００ａをケーシング５０に対してその外側からボルト４２０により取り付ける。これにより、所定の傾転位置に設定された複数のトラニオン１５が治具４００により個別に支持されるとともに、各トラニオン１５の傾転が阻止される。そして、このように組立治具４００によって複数のトラニオン１５の傾転が規制された状態で、更なる組立・調整が行なわれる。なお、組立後に治具４００をケーシング５０から取り外したら、ケーシング５０の取付孔部６００を所定の蓋部材によって閉塞する。
【００５５】
以上説明したように、本実施形態においては、複数の組立治具４００によりトラニオン１５の傾転角の変化をトラニオン１５毎に個別に規制することができるため、治具４００の設置スペースの確保が容易になり、また、治具４００の設置スペースを最小限に抑えることができるとともに、治具４００の取付自由度を高めることもでき、更に、治具取付後における部分的な微調整など、組立状況に応じた対応を迅速にとることができ、利便性にも優れる。
【００５６】
また、本実施形態においては、治具４００がケーシング５０に対してその外側から着脱自在に取り付けられているため、組立後においても治具４００を取り付けた状態に維持することができるとともに、組立後において治具４００をいつでも取り外すことができる。したがって、組み立て後に変速機を試験機に設置するまでの間或いは車載までの間にわたって治具４００を取り付けた状態に保持することにより、入力軸１および出力軸を回転させたとしてもトラニオン１５の傾転角を変化させずに済む。また、組み立て後にもトラニオン傾転を固定しておくことで、組み立て後の移動時などに振動などでディスク２，３とパワーローラ１１のトラクション面に傷が付くことも防止できる。
【００５７】
なお、本発明は、前述した実施形態に限定されず、その要旨を逸脱しない範囲で種々変形して実施できることは言うまでもない。たとえば、前述した実施形態では、入力側ディスク２と出力側ディスク３の接触半径が同一で１：１の関係にある状態で組み立てが行なわれ、その状態で治具により傾転角固定が行なわれているが、９０°、変速比１：１以外の角度で治具により固定されても良い。
【産業上の利用可能性】
【００５８】
本発明は、本発明は、シングルキャビティ型やダブルキャビティ型などの様々なハーフトロイダル型無段変速機に適用することができる。
【図面の簡単な説明】
【００５９】
【図１】本発明の第１の実施形態に係るトロイダル型無段変速機の要部斜視図である。
【図２】本発明の第２の実施形態に係るトロイダル型無段変速機の要部斜視図である。
【図３】本発明の第３の実施形態に係るトロイダル型無段変速機の要部断面図である。
【図４】従来から知られているトロイダル型無段変速機の具体的構造の一例を示す断面図である。
【図５】図４のＡ−Ａ線に沿う断面図である。
【符号の説明】
【００６０】
１    入力軸
２    入力側ディスク
３    出力側ディスク
１１    パワーローラ
１４    枢軸
１５    トラニオン
１６    支持板部
５０    ケーシング
３００，３５０，４００    組立治具
３００ａ，３５０Ａ，３５０Ｂ，４００ａ    本体
３０５，３５５    対向面
３１０    係合穴
３６０    係合溝
４００ｂ    突出部
４１５    平面部
【図１】
2007332981.tif 000003
【図２】
2007332981.tif 000004
【図３】
2007332981.tif 000005
【図４】
2007332981.tif 000006
【図５】
2007332981.tif 000007